(57)【特許請求の範囲】
【請求項１】
０．３〜２．７ｔｅｘ（ｇ／ｋｍ）の範囲のガラス繊維からなるヤーンが巻き付けられる、糸巻付け用円筒部の周囲に、該円筒部の円周方向に沿って断面視台形状の複数の環状凸部を備えるボビンであって、
該環状凸部の高さｈが２０〜２００μｍの範囲にあり、
隣り合う該環状凸部同士の中心間距離としての間隔ｄ１が１００〜９４００μｍの範囲にあり、
該環状凸部の高さｈに対する、隣り合う該環状凸部同士の中心間距離としての間隔ｄ１の比ｄ１／ｈが３．４〜７５．０の範囲にあることを特徴とするボビン。
【請求項２】
請求項１記載のボビンにおいて、前記環状凸部の高さｈに対する、隣り合う該環状凸部同士の中心間距離としての間隔ｄ１の比（ｄ１／ｈ）が５．０〜３０．０の範囲にあることを特徴とするボビン。
【請求項３】
請求項１又は請求項２記載のボビンにおいて、前記環状凸部は断面視台形状の上底の長さＷ１が１８０〜５００μｍの範囲にあり、下底の長さＷ２が１８０〜８００μｍの範囲にあることを特徴とするボビン。
【請求項４】
請求項３記載のボビンにおいて、前記環状凸部は断面視台形状の下底の長さＷ２に対する上底の長さＷ１の比（Ｗ１／Ｗ２）が０．９０〜１．００の範囲にあることを特徴とするボビン。
【請求項５】
請求項１〜請求項４のいずれか１項記載のボビンにおいて、前記糸巻付け用円筒部の上部加工率が５０％以上の範囲にあることを特徴とするボビン。
【請求項６】
請求項１〜請求項５のいずれか１項記載のボビンにおいて、前記糸巻付け用円筒部の上部加工率が５０〜９５％の範囲にあることを特徴とするボビン。
【請求項７】
請求項１〜請求項６のいずれか１項記載のボビンに、０．３〜２．７ｔｅｘ（ｇ／ｋｍ）の範囲のガラス繊維からなるヤーンが巻き付けられていることを特徴とするヤーンパッケージ。
【発明の詳細な説明】
【技術分野】
【０００１】
本発明は、ボビンに関する。
【背景技術】
【０００２】
従来、ヤーンパッケージを形成する際に、ヤーンを巻き取るボビンが用いられている。前記ヤーンは例えばガラス繊維からなるヤーン（以下、ガラスヤーンと略記する）であり、ガラス繊維織物等の製造に用いられる。【０００３】
前記ボビンとして、例えば、糸巻付け用円筒部の周囲に、円周方向に沿って断面視台形状の複数の環状凸部を備えるものが知られている（例えば、特許文献１参照）。【０００４】
特許文献１記載のボビンは、前記巻取部の周囲に前記複数の環状凸部を備えることにより、ヤーンの最内層の解舒に際して、巻かれている薄いヤーン層が滑ることが防止され、ヤーンが重なって糸切れが発生するという問題が解決されるとされている。
【先行技術文献】
【特許文献】
【０００５】
【特許文献１】特開２００４−１４２９１６号公報
【発明の概要】
【発明が解決しようとする課題】
【０００６】
しかしながら、前記従来のボビンでは、２．７ｇ／ｋｍ以下の極めて細いガラスヤーンを巻き付け、該ガラスヤーンを引き出して解舒する際に該ガラスヤーンが切断する、「糸口無し」と呼ばれる現象が発生するという不都合がある。【０００７】
本発明は、かかる不都合を解消して、糸口無しの発生を抑制することができるボビンを提供することを目的とする。
【課題を解決するための手段】
【０００８】
かかる目的を達成するために、本発明のボビンは、０．３〜２．７ｔｅｘ（ｇ／ｋｍ）の範囲のガラス繊維からなるヤーンが巻き付けられる、糸巻付け用円筒部の周囲に、該円筒部の円周方向に沿って断面視台形状の複数の環状凸部を備えるボビンであって、該環状凸部の高さｈが２０〜２００μｍの範囲にあり、隣り合う該環状凸部同士の中心間距離としての間隔ｄ１が１００〜９４００μｍの範囲にあり、該環状凸部該環状凸部の高さｈに対する、隣り合う該環状凸部同士の中心間距離としての間隔ｄ１の比ｄ１／ｈが３．４〜７５．０範囲にあることを特徴とする。
【０００９】
本発明のボビンによれば、前記断面視台形状の環状凸部の高さｈが２０〜２００μｍの範囲にあり、隣り合う該環状凸部同士の中心間距離としての間隔ｄ１が１００〜９４００μｍの範囲にあり、該該環状凸部の高さｈに対する、隣り合う該環状凸部同士の中心間距離としての間隔ｄ１の比ｄ１／ｈが３．４〜７５．０の範囲にあることにより、０．３〜２．７ｔｅｘ（ｇ／ｋｍ）の範囲の極めて細いガラスヤーンを巻き付けた際にも、糸口無しが発生することを抑制することができる。
【００１０】
前記環状凸部の高さｈは、２０μｍ未満では巻き付けたガラスヤーンを十分に巻ズレ防止させることが困難であり、糸口無しを抑制することができず、２００μｍを超えるとガラスヤーンをボビンから解舒する際に前記環状凸部に接触することにより受けるダメージが大きくなり毛羽が発生しやすくなる。【００１１】
また、隣り合う該環状凸部同士の中心間距離としての間隔ｄ１が、１００μｍ未満では、環状凸部同士の間隔が狭すぎるため、巻き付けられたガラスヤーンがその隙間に十分に入り込むことができず、巻ズレ抑制効果が得られにくいことから、糸口無しが抑制できない。９４００μｍを超えると、環状凸部に接触するガラスヤーンの割合が低下し、十分な巻ズレ防止効果が得られず、糸口無しが抑制できない。【００１２】
また、前記環状凸部の高さｈに対する、隣り合う該環状凸部同士の中心間距離としての間隔ｄ１の比ｄ１／ｈが３．４未満であるか、又は、７５．０を超えると、糸口無しの発生を抑制することができない。【００１３】
本発明のボビンでは、前記環状凸部の高さｈに対する、隣り合う該環状凸部同士の中心間距離としての間隔ｄ１の比（ｄ１／ｈ）が５．０〜３０．０の範囲にあることが好ましい。前記環状凸部の高さｈに対する、隣り合う該環状凸部同士の中心間距離としての間隔ｄ１の比（ｄ１／ｈ）が前記範囲にあることにより、糸口無しの発生をより確実に防止することができ、かつ、毛羽の発生をより効果的に抑制することができる。【００１４】
また、本発明のボビンにおいて、前記環状凸部は断面視台形状の上底の長さＷ１が１８０〜５００μｍの範囲にあり、下底の長さＷ２が１８０〜８００μｍの範囲にあることが好ましい。前記環状凸部は断面視台形状の上底の長さＷ１及び下底の長さＷ２が前記範囲にあることにより、糸口無しの発生をより効率的に抑制することができる。【００１５】
また、本発明のボビンは、前記環状凸部は断面視台形状の上底の長さＷ１及び下底の長さＷ２が前記範囲にあるときに、下底の長さＷ２に対する上底の長さＷ１の比（Ｗ１／Ｗ２）が０．９０〜１．００の範囲にあることが好ましい。前記環状凸部の断面視台形状における下底の長さＷ２に対する上底の長さＷ１の比（Ｗ１／Ｗ２）が前記範囲にあることにより、糸口無しの発生を極めて効率的に抑制することができる。【００１６】
また、本発明のボビンは、前記糸巻付け用円筒部の上部加工率が５０％以上の範囲にあることが好ましい。【００１７】
前記糸巻付け用円筒部の上部加工率とは、該糸巻付け用円筒部の上半部の長さＬ１に対する、前記環状凸部が設けられた領域（最も下部に位置する環状凸部を起点として、最も上部に位置する環状凸部を終点とする領域）の長さＬ２の割合を意味する。【００１８】
前記糸巻付け用円筒部の上部加工率が５０％以上であれば、前記糸巻付け用円筒部の下半部に設けられる環状凸部が、その高さｈが２０〜２００μｍの範囲にあり、隣り合う該環状凸部同士の中心間距離としての間隔ｄ１が１００〜９４００μｍの範囲にあり、高さｈに対する、隣り合う環状凸部同士の中心間距離としての間隔ｄ１の比ｄ１／ｈが３．４〜７５．０の範囲にあるという条件を満たさないものであっても、糸口無しの発生を抑制することができる。【００１９】
なお、前記上半部とはボビンの上端から始まり、ボビンの上端からボビンの全長に対し５０％の地点までの範囲を意味し、前記下半部とはボビンの上端からボビンの全長に対し５０％の地点から始まり、ボビンの下端までの範囲を意味する。【００２０】
また、本発明のボビンは、前記糸巻付け用円筒部の上部加工率が５０〜９５％の範囲にあることがさらに好ましい。本発明のボビンは、前記糸巻付け用円筒部の上部加工率が前記範囲にあることにより、毛羽の発生をさらに効果的に抑制することができる。【００２１】
また、本発明のヤーンパッケージは、前記いずれかの構成を備えるボビンに、０．３〜２．７ｇ／ｋｍの範囲のガラスヤーンが巻き付けられていることを特徴とする。【００２２】
本発明のヤーンパッケージによれば、前記いずれかの構成を備えるボビンに、前記範囲のガラスヤーンが巻き付けられていることにより、糸口無しの発生をより確実に防止することができ、かつ、毛羽の発生をより効果的に抑制することができる。
【図面の簡単な説明】
【００２３】
【図１】本発明のボビンの一構成例を示す正面図。
【図２】図１に示すボビンの環状凸部の形状を拡大して示す説明図。
【図３】図１に示すボビンの環状凸部が断面視略台形状の場合を示す説明図。
【発明を実施するための形態】
【００２４】
次に、添付の図面を参照しながら本発明の実施の形態についてさらに詳しく説明する。
【００２５】
図１に示すように、本実施形態のボビン１は、底部に備えられたフランジ部２と、フランジ部２に立設された中空円筒状の糸巻付け用円筒部３と、円筒部３の上端部に連設された掴み部４とからなり、円筒部３の円周方向に沿って断面視台形状の複数の環状凸部５を備えている。本実施形態では、図１に示すように、ボビン１の上半部の長さをＬ１、ボビン１の上半部において環状凸部５が設けられた領域（上半部の最も下部に位置する環状凸部５を起点として、上半部の最も上部に位置する環状凸部５を終点とする領域）の長さをＬ２、ボビン１の下半部の長さをＬ３、ボビン１の下半部において環状凸部５が設けられた領域（下半部の最も下部に位置する環状凸部５を起点として、下半部の最も上部に位置する環状凸部５を終点とする領域）の長さをＬ４する。
【００２６】
また、本実施形態では、図２に示すように、円筒部３の外周面３ａに対する環状凸部５の高さをｈ、隣り合う環状凸部５，５同士の中心間距離としての環状凸部５，５の間隔をｄ１、隣り合う環状凸部５，５同士の下端部間距離としての環状凸部５，５の間隔をｄ２、環状凸部５の断面視台形状の上底の長さをＷ１、下底の長さをＷ２とする。
【００２７】
なお、環状凸部５の断面視台形状の中には、上底の角が丸みを帯びた略台形状や、上底と下底の長さが等しい長方形状又は正方形状が含まれる。
【００２８】
本実施形態のボビン１では、環状凸部５の高さｈが２０〜２００μｍの範囲にあり、隣り合う該環状凸部５，５同士の中心間距離としての間隔ｄ１が１００〜９４００μｍの範囲にあり、環状凸部５の高さｈに対する、隣り合う環状凸部５，５同士の中心間距離としての間隔ｄ１の比ｄ１／ｈが３．４〜７５．０の範囲にあることにより、０．３〜２．７ｔｅｘ（ｇ／ｋｍ）の範囲の極めて細いガラスヤーンを巻き付けた際にも、糸口無しが発生することを抑制することができる。
【００２９】
環状凸部５の高さｈは、好ましくは３０〜１８０μｍの範囲であり、より好ましくは３５〜１６０μｍの範囲であり、さらに好ましくは４０〜９０μｍの範囲である。
【００３０】
また、隣り合う環状凸部５，５同士の中心間距離としての間隔ｄ１は、好ましくは、１５０〜７０００μｍの範囲であり、より好ましくは２００〜３５００μｍの範囲であり、さらに好ましくは３００〜２０００μｍの範囲であり、特に好ましくは４００〜８００μｍの範囲である。
【００３１】
また、隣り合う環状凸部５，５同士の下端部間距離としての間隔ｄ２は、例えば、７０００μｍ以下の範囲であり、好ましくは１５０〜３３００μｍの範囲であり、より好ましくは１８０〜１５００μｍの範囲であり、さらに好ましくは２００〜６００μｍの範囲である。
【００３２】
また、環状凸部５の高さｈに対する、隣り合う環状凸部５，５同士の中心間距離としての間隔ｄ１の比ｄ１／ｈは、好ましくは３．５〜６３．４の範囲であり、より好ましくは４．０〜５０．０の範囲であり、さらに好ましくは５．０〜３０．０の範囲である。本実施形態のボビン１では、環状凸部５の高さｈに対する、隣り合う環状凸部５，５同士の中心間距離としての間隔ｄ１の比ｄ１／ｈが５．０〜３０．０の範囲にあることにより、糸口無しの発生率を３０％未満としてその発生をより確実に防止することができ、かつ、毛羽の発生数を４個未満としてその発生をより効果的に抑制することができる。
【００３３】
なお、糸口無しの発生率とは、ヤーンパッケージを５℃の雰囲気下に１２時間静置した後、恒温槽付振動試験機を用いて、５℃の雰囲気下、２５Ｇで５００回の振動を与え、巻き取られたガラスヤーンを巻き取りの終端から始端まで解舒した際に、ガラスヤーンが切断したヤーンパッケージ本数を、糸口無し評価に用いたヤーンパッケージの全本数で除することにより求めることができる。また、毛羽の発生数とは、ヤーンパッケージを５℃の雰囲気下に１２時間静置した後、恒温槽付振動試験機を用いて、５℃の雰囲気下、２５Ｇで５００回の振動を与え、巻き取られたガラスヤーンを巻き取りの終端から始端まで解舒した際に、巻き取られたガラスヤーンを巻き取りの終端から始端の５０００ｍ手前の位置まで解舒した後、毛羽測定装置を用いて、始端の５０００ｍ手前の位置から始端までの毛羽数をガラスヤーン３３３ｍ毎の合計毛羽数として計数することにより求めることができる。
【００３４】
本実施形態のボビン１では、環状凸部５の高さｈに対する、隣り合う環状凸部５，５同士の中心間距離としての間隔ｄ１の比ｄ１／ｈは、特に好ましくは７．０〜２５．０の範囲であり、最も好ましくは８．０〜１５．０の範囲である。
【００３５】
ボビン１において、環状凸部５の断面視台形状の上底の長さＷ１は、例えば、５０〜１９００μｍの範囲とすることができるが、糸口無しの発生率を２０％未満としてその発生をさらに確実に抑制することができることから、１８０〜５００μｍの範囲であることが好ましく、２００〜４５０μｍの範囲であることがより好ましく、２１０〜３２０μｍの範囲であることがさらに好ましい。
【００３６】
なお、環状凸部５の断面視形状が、上底の角が丸みを帯びた略台形状である場合、上底の長さＷ１は次のように求める。まず、環状凸部５の起点である２点（図３中Ｂ１、Ｂ２）を結んだ直線ｂと平行な直線を、環状凸部５の高さｈの半分の高さで引く。次いで、この直線が環状凸部５と交わる２点（図３中Ｍ１、Ｍ２）において、それぞれ接線（図３中ｔ１、ｔ２）を引く。次いで、環状凸部５の頂点を通り、直線ｂと平行な直線ｓを引く、次いで、直線ｓと接線ｔ１との交点をＡ１とし、直線ｓと接線ｔ２との交点をＡ２とし、Ａ１とＡ２との距離を上底の長さＷ１とする。
【００３７】
一方、環状凸部５の断面視台形状の下底の長さＷ２は、例えば、５０〜３０００μｍの範囲とすることができるが、糸口無しの発生率を２０％未満としてその発生をさらに確実に抑制することができることから、１８０〜８００μｍの範囲であることが好ましく、２００〜７００μｍの範囲であることがより好ましく、２１０〜３５０μｍの範囲であることがさらに好ましく、２２０〜２９０μｍの範囲であることが最も好ましい。
【００３８】
また、ボビン１では、環状凸部５の断面視台形状の下底の長さＷ２に対する上底の長さＷ１の比Ｗ１／Ｗ２は、例えば、０．０５〜１．００の範囲とすることができるが、糸口無しの発生率を２０％未満としてその発生を効率的に抑制することができることから、０．３０〜１．００の範囲であることが好ましく、糸口無しの発生率を１０％未満としてその発生を極めて効率的に抑制することができることから、０．９０〜１．００の範囲であることがさらに好ましく、０．９０〜０．９８の範囲であることが特に好ましい。
【００３９】
また、ボビン１では、円筒部３の上半部の長さＬ１に対する、上半部において環状凸部５が設けられた領域（上半部で最も下部に位置する環状凸部５を起点として、上半部で最も上部に位置する環状凸部５を終点とする領域）の長さＬ２の割合Ｌ２／Ｌ１で示される円筒部３の上部加工率が５０％以上の範囲にあることが好ましい。
【００４０】
円筒部３の上部加工率が５０％以上であれば、円筒部３の下半部に設けられる環状凸部５が、その高さｈが２０〜２００μｍの範囲にあり、隣り合う環状凸部５，５同士の中心間距離としての間隔ｄ１が１００〜９４００μｍの範囲にあり、高さｈに対する、隣り合う環状凸部５，５同士の中心間距離としての間隔ｄ１の比ｄ１／ｈが３．４〜７５．０の範囲にあるという条件を満たさないものであっても、糸口無しの発生を抑制することができる。
【００４１】
ボビン１では、円筒部３の前記上部加工率は５０〜９５％の範囲であることが好ましく、毛羽の発生数を３．５個未満とすることができ、その発生をより効果的に抑制することができる。
【００４２】
また、円筒部３の前記上部加工率は、５５〜９０％の範囲であることがより好ましく、６０〜８５％の範囲であることがさらに好ましく、６３〜８０％の範囲であることが特に好ましく、６５〜７８％であることが最も好ましい。
【００４３】
また、ボビン１では、円筒部３の下半部の長さＬ３に対する、下半部において環状凸部５が設けられた領域（下半部で最も下部に位置する環状凸部５を起点として、下半部で最も上部に位置する環状凸部５を終点とする領域）の長さＬ４の割合Ｌ４／Ｌ３で示される円筒部３の下部加工率が５０％以上の範囲であることが好ましく、７０％以上の範囲であることがより好ましく、８０％以上の範囲であることがさらに好ましく、９０〜９９％の範囲であることが特に好ましい。
【００４４】
なお、ボビン１の全体にわたって、環状凸部５の高さｈ、及び、環状凸部５の高さｈに対する、隣り合う環状凸部５，５同士の中心間距離としての間隔ｄ１の比ｄ１／ｈが同一であってよく、ボビン１中に前記ｈ及び前記ｄ１／ｈが異なる複数の領域が存在してもよい。
【００４５】
また、本実施形態のヤーンパッケージは、図１に示すボビン１に０．３〜２．７ｇ／ｋｍの範囲のガラスヤーンが巻き付けられていることにより、糸口無しの発生をより確実に防止することができ、かつ、毛羽の発生をより効果的に抑制することができる。
【００４６】
また、本実施形態のヤーンパッケージは、図１に示すボビン１に、０．４〜２．０ｇ／ｋｍの範囲のガラスヤーンが巻き付けられていることが好ましく、０．５〜１．７ｇ／ｋｍの範囲のガラスヤーンが巻き付けられていることがより好ましい。
【００４７】
なお、本実施形態のボビンには、２．７ｇ／ｋｍ超のヤーンを巻き付けることも可能である。
【００４８】
次に、本発明の実施例を示す。
【実施例】
【００４９】
環状凸部５の高さｈ、隣り合う環状凸部５，５同士の中心間距離としての環状凸部５，５の間隔ｄ１、高さｈに対する間隔ｄ１の比ｄ１／ｈ、環状凸部５の断面視台形状の上底の長さＷ１、下底の長さＷ２、下底の長さＷ２に対する上底の長さＷ１の比Ｗ１／Ｗ２、円筒部３の上部加工率及び下部加工率が表１〜３に示されるようにして、実施例１〜９及び、比較例１〜３のボビン１を作成した。なお、実施例６において、ボビン１の上半部には、表２に示す上部加工率で、表２に示す実施例６のｈ、ｄ１、ｄ１／ｈ、Ｗ１、Ｗ２、Ｗ１／Ｗ２を備える環状凸部５を設け、ボビン１の下半部には、表2に示す下部加工率で、表３に示す比較例３と同一のｈ、ｄ１、ｄ１／ｈ、Ｗ１、Ｗ２、Ｗ１／Ｗ２を備える環状凸部５を設けた。【００５０】
次に、実施例１〜９及び、比較例１〜３の各ボビン１の円筒部３に、１．６５ｇ／ｋｍのガラスヤーンを巻き付けて、ヤーンパッケージを作成した。
【００５１】
次に、実施例１〜９及び、比較例１〜３の各ヤーンパッケージを５℃の雰囲気下に１２時間静置した後、恒温槽付振動試験機を用いて、５℃の雰囲気下、２５Ｇで５００回の振動を与え、巻き取られたガラスヤーンを巻き取りの終端から始端まで解舒した際に、ガラスヤーンが切断したヤーンパッケージ本数を、糸口無し評価に用いたヤーンパッケージの全本数で除することにより、糸口無しの発生率を算出した。結果を表１〜３に示す。【００５２】
次に、実施例１〜９及び、比較例１〜３の各ヤーンパッケージを５℃の雰囲気下に１２時間静置した後、恒温槽付振動試験機を用いて、５℃の雰囲気下、２５Ｇで５００回の振動を与え、巻き取られたガラスヤーンを巻き取りの終端から始端まで解舒した際に、巻き取られたガラスヤーンを巻き取りの終端から始端の５０００ｍ手前の位置まで解舒した後、毛羽測定装置を用いて、始端の５０００ｍ手前の位置から始端までの毛羽数をガラスヤーン３３３ｍ毎の合計毛羽数として計数することにより、毛羽の発生数を求めた。結果を表１〜３に示す。【００５３】
【表１】
0006390820.tif 000002
【００５４】
【表２】
0006390820.tif 000003
【００５５】
【表３】
0006390820.tif 000004
【００５６】
表１〜３から、環状凸部５の高さｈが２０〜２００μｍの範囲にあり、隣り合う該環状凸部同士の中心間距離としての間隔ｄ１が１００〜９４００μｍの範囲にあり、環状凸部５の高さｈに対する、隣り合う環状凸部５，５同士の中心間距離としての間隔ｄ１の比ｄ１／ｈが３．４〜７５．０の範囲にある実施例１〜９のボビン１によれば、糸口無し発生率が３４％以下であり、糸口無しの発生を効果的に抑制できることが明らかである。【００５７】
また、表１〜３から、環状凸部５の高さｈに対する、隣り合う環状凸部５，５同士の中心間距離としての間隔ｄ１の比ｄ１／ｈが３．４未満である比較例１，２のボビン１及び、ｄ１／ｈが７５．０超である比較例３のボビン１によれば、糸口無し発生率が４４％以上であり糸口無しの発生を抑制できないことが明らかである。
【符号の説明】
【００５８】
１…ボビン、  ３…円筒部、  ５…環状凸部。
【要約】
糸口無しの発生を抑制することができるボビンを提供する。
ボビン１は、糸巻付け用円筒部３の周囲に、円周方向に沿って断面視台形状の複数の環状凸部５を備える。環状凸部５の高さｈが２０〜２００μｍであり、隣り合う該環状凸部同士の中心間距離としての間隔ｄ１が１００〜９４００μｍの範囲にあり、環状凸部５の高さｈに対する、隣り合う環状凸部５，５同士の中心間距離としての間隔ｄ１の比ｄ１／ｈが３．４〜７５．０である。【図１】
0006390820.tif 000005
【図２】
0006390820.tif 000006
【図３】
0006390820.tif 000007